(57)【要約】【課題】破風化粧板の装飾性や意匠性を高めつつ、破風化粧板の上面に降った雨水を、軒下に滴下させることなく軒樋に確実に流入させる。【解決手段】切妻屋根の端部４を覆って取り付けられる破風化粧板１の上面被覆部１１に、段差部１１ａを介して妻側縁部を高くした堤部１１ｂを設け、軒先側の端部近傍には段差部１１ａと連続した傾斜段差部１１ｃを設けるとともに、この傾斜段差部１１ｃの端部に上面被覆部１１と傾斜段差部１１ｃに連なって屋根５側へ突出した水切り部材２を一体に設ける。【選択図】図１
2011032746.tif 000002
【特許請求の範囲】
【請求項１】
切妻屋根の妻側屋根端部（４）を覆って取り付けられる破風化粧板において、
屋根端部（４）の上面を覆う上面被覆部（１１）に、段差部（１１ａ）を介して妻側縁部を高くした堤部（１１ｂ）を設け、軒先側の端部近傍には段差部（１１ａ）と連続して上面被覆部（１１）を横切って屋根（５）側へ折れた傾斜段差部（１１ｃ）を設けるとともに、この傾斜段差部（１１ｃ）の端部に上面被覆部（１１）と当該傾斜段差部（１１ｃ）に連なって屋根（５）側へ突出した水切り部材（２）を設けた構成を有することを特徴とする破風化粧板。
【請求項２】
水切り部材（２）は、傾斜段差部（１１ｃ）の端面から延出した縦面部（２１）と、上面被覆部（１１）の上面に連なって延出した横面部（２２）と有して形成されていることを特徴とする請求項１記載の破風化粧板。
【請求項３】
傾斜段差部（１１ｃ）の端部に、当該傾斜段差部（１１ｃ）の上端から堤部（１１ｂ）と略平行に突出した庇（２３）を設けたことを特徴とする請求項１又は２記載の破風化粧板。
【発明の詳細な説明】
【技術分野】
【０００１】
本発明は、切妻屋根の端部を覆って取り付けられる破風化粧板に関し、詳しくは切妻屋根の端部を伝って流れる雨水を屋根側から軒樋へと案内する段差部を備えた破風化粧板に関する。
【背景技術】
【０００２】
建物の装飾性や見栄えを良くするために、塩化ビニル製鋼板を折り曲げて形成した破風化粧板を切り妻屋根の端部に取り付けることがある。この場合に、雨水が破風化粧板の上面を伝って流れ落ち、そのまま軒先側端部から軒下へと滴下し、軒下の地面を窪ませたり、水跳ねを起こして建物の外壁面を汚したりするという問題があった。
【０００３】
そこで、かかる問題を解決するため、図５及び図６に示されるような破風化粧板の利用が提案されている。この破風化粧板１００は、切り妻屋根の端部の上面を覆う上面被覆部１０１に、段差部１０２を介して妻側縁部が一段高くなった堤部１０３を設け、また、軒先側の端部近傍で段差部１０２の下端と連続して上面被覆部１０１の上面を横切って屋根側へ折れ曲がった傾斜段差部１０４を設け、上面被覆部１０１の上面を伝って流れ落ちる雨水を段差部１０２で規制して上面被覆部１０１に沿って軒先側へと流し落し、さらに傾斜段差部１０４で雨水流路（図中、矢符Ｘ参照）を屋根側へと方向転換させて、軒先に取り付けた軒樋１１０内へと雨水を導くようにしたものである（例えば、特許文献１、２参照）。
【先行技術文献】
【特許文献】
【０００４】
【特許文献１】特開平７−２７９３２３号公報
【特許文献２】特開２００１−２６２７９８号公報
【発明の概要】
【発明が解決しようとする課題】
【０００５】
然し乍ら、前記破風化粧板１００では、図６に示されるように、破風化粧板１００の内側壁１０５と軒樋１１０の止り１１１との間に隙間Ｃがあると、傾斜段差部１０４で方向転換された雨水がスムーズに軒樋１１０内へと流れ落ちず、雨水の一部が前記内側壁１０５の表面を伝って隙間Ｃから軒下へと滴下することがある。外気温の変化に伴う伸縮といった軒樋１１０の経年変化などによって隙間Ｃが拡大すると、隙間Ｃからの雨水の滴下が顕著になる。
また、上面被覆部１０１の上面を伝って流れ落ちる雨水の量が多いときや、流れに勢いがあるときなどは、傾斜段差部１０４に衝突した雨水が方向転換することなくそのまま傾斜段差部１０４を乗り越え、図７中に示す矢符Ｙ方向に飛び跳ねてから軒下に滴下してしまうことがある。この雨水の飛び跳ねは、傾斜段差部１０４の段差Ｈを大きくすることによってある程度防ぐことができるものの、段差Ｈを大きくすればそれだけ破風化粧板１００が大型化して見栄えが悪くなり、屋根の軒先廻り装飾性や意匠性が損なわれてしまう。
【０００６】
本発明は、従来技術の有するこのような問題点に鑑み、破風化粧板の装飾性や意匠性を高めつつ、破風化粧板の上面に降った雨水を、軒下に滴下させることなく、屋根側へと方向転換せしめて軒樋に確実に流入させることができるようにすることを課題とする。
【課題を解決するための手段】
【０００７】
前記課題を解決するため本発明は、切妻屋根の妻側屋根端部を覆って取り付けられる破風化粧板において、屋根端部の上面を覆う上面被覆部に、段差部を介して妻側縁部を高くした堤部を設け、軒先側の端部近傍には段差部と連続して上面被覆部を横切って屋根側へ折れた傾斜段差部を設けるとともに、この傾斜段差部の端部に上面被覆部と当該傾斜段差部に連なって屋根側へ突出した水切り部材を設けた構成を有することを特徴とする。
【０００８】
上記構成からなる破風化粧板は、傾斜段差部の端部に屋根側に突出した水切り部材が設けられているので、段差部で流路を規制されながら上面被覆部を伝って流れ落ち、傾斜段差部で流路を方向転換させられた雨水を、水切り部材に沿って軒先に取り付けられた軒樋の開口部へと案内し、軒樋内に流し落とすことができる。
水切り部材はその先端を軒樋の開口部上方に突出させて設けてあるので、雨水は破風化粧板と軒樋との隙間に流出することなく、水切り部材の表面を伝って軒樋内に流れ落ち、前記隙間部分から雨水を軒先に滴下することを有効に防止することができる。
【０００９】
前記構成の破風化粧板において、水切り部材は傾斜段差部の端面から延出した縦面部と、上面被覆部の上面に連なって延出した横面部と有して形成することができる。
水切り部材がこのように形成してあれば、傾斜段差部で方向転換した雨水を縦面部に沿って案内しつつ、上面被覆部の上面から突出した横面部に沿わせて軒樋内に確実に流し落とすことができる。
【００１０】
また、前記構成の破風化粧板は、傾斜段差部の端部に当該傾斜段差部の上端から堤部と略平行に突出した庇を設けることができる。
このように傾斜段差部の上端に庇が設けてあれば、上面被覆部を伝って流れ落ちる雨水が傾斜段差部に案内されてその流路が屋根側へ方向転換される際に、傾斜段差部と衝突し、上方へ飛び散る雨水が庇にぶつかって傾斜段差部上に跳ね返され、前記方向転換された流路に沿って軒樋の開口部上へと案内され、軒樋内に流れ込み、雨水が傾斜段差部を乗り越えてそのまま軒下に滴下するのを防止することができる。
また、傾斜段差部の上端に庇が設けてあれば、傾斜段差部の段差をそれほど大きくしなくても雨水の飛び跳ねや乗り越えを効果的に防止することができるので、破風化粧板がスマート且つコンパクトな形態となり、軒先外観の装飾性や意匠性が向上する。
【発明の効果】
【００１１】
本発明の破風化粧板は、破風化粧板の上面に降ってその表面を伝い落ちる雨水を軒下へと滴下させることなく、屋根側へと案内して軒樋に確実に流入させることが可能である。しかも破風化粧板がスマート且つコンパクトな形態のものとなり、切り妻屋根端部の軒先外観を見栄えよく綺麗に仕上げることができる。
【図面の簡単な説明】
【００１２】
【図１】本発明の一実施形態の破風化粧板を取り付けた切妻屋根の軒先側の外観を一部を破断して示した図である。
【図２】図１の切妻屋根の側端部の棟側から軒先側を臨む位置における要部断面図である。
【図３】図１の切妻屋根の側端部の棟側から軒先側を臨む位置における軒先部分の断面図である。
【図４】本発明の他の実施形態の破風化粧板の軒先側端部部分を斜め上方から見たときの要部拡大図である。
【図５】上面に段差部を備えた従来の破風化粧板を取り付けた屋根端部の外観図である。
【図６】図５の屋根端部の軒先側の外観図である。
【図７】図５の破風化粧板の軒先側端部部分を斜め上方から見たときの要部拡大図である。
【発明を実施するための形態】
【００１３】
図１〜図３は本発明の一実施形態の破風化粧板を示しており、図中、符号１は破風化粧板、２は水切り部材、３は軒樋、４は屋根端部、５は屋根をそれぞれ示し、図示されるように、本発明の破風化粧板１は、切妻屋根の棟から軒先に亘る屋根端部４を一体的に覆って取り付けられるものである。破風化粧板１は、例えば表面を塩化ビニル樹脂で覆うなどの耐蝕加工が施された被覆鋼板や、亜鉛鋼板などの耐蝕・耐火性を有する長尺の鋼板をベンダー等で折り曲げて形成することができる。
【００１４】
破風化粧板１は、図２に示されるように、切妻屋根の屋根端部４の上部を覆う上面被覆部１１と、側部を覆う外側被覆部１２と、下部を覆う下面被覆部１３とで断面略コ字状に屈曲形成されている。
【００１５】
詳しくは、上面被覆部１１の屋根側縁部には、下方に屈曲していて下端を内側へ折り返した係止部１４ａとしてなる内側壁１４が屈曲形成してあり、これと反対側の妻側縁部には、段差部１１ａを介して妻側縁部を一段高くし、且つ棟側近傍から軒先に亘って帯状に連続して伸びた堤部１１ｂを形成してある。この堤部１１ｂの幅は、上面被覆部１１上面の一段低い部分よりも細幅に設定してある。
また、上面被覆部１１の軒先側端部には、段差部１１ａと連続していて前記軒先側端部に至る手前で上面被覆部１１の上面を妻側から横切って屋根５側に傾斜しつつ折れた傾斜段差部１１ｃを形成してあり、この傾斜段差部１１ｃの軒先側端部に後述する水切り部材２を一体に設けてある。
破風化粧板１の側面被覆部１２の略中央には、その長手方向に連続して伸び且つ妻側へ向かって開口した凹溝１２１を形成してある。また、下面被覆部１３は、側面被覆部１２の下端から建屋側へ折れ曲がる水平部１３１と、その先端部で上方へ折れ曲がった立ち上り部１３２からなっている。
【００１６】
水切り部材２は、傾斜段差部１１ｃの端面から略面一に延出する縦面部２１と、上面被覆部１１の上面から略面一に延出する横面部２２からなる断面略Ｌ字形に屈曲した部位であり、縦面部２１を傾斜段差部１１ｃの端部に、横面部２２を上面被覆部１１の上面にそれぞれ連ねて上面被覆部１１の内側壁１４から屋根５側へ一体に突出させて設けてある。
【００１７】
このように構成される破風化粧板１は、屋根５の端部上面に敷設した水切り板６の鉤止部６１に上面被覆部１１の係止部１４ａを係合させるとともに下面被覆部１３の立ち上がり部１３２を屋根端部４の下面に接合させて屋根端部４にあてがい、側面被覆部１２の凹溝１２１にビスや釘などの固着具Ｎを打ち込むことによって屋根端部４に固定される。
屋根端部４に取り付けられた破風化粧板１は、図１及び図３に示されるように、傾斜段差部１１ｃの端部から屋根５側へ突出した水切り部材２の先端が軒樋３の開口部上方に位置し、段差部１１ａで規制されながら上面被覆部１１の上面を伝って流れ落ち、傾斜段差部１１ｃで流路を方向転換された雨水を、水切り部材２に沿って軒樋３内に確実に流し落とすことが可能である。水切り部材２は、破風化粧板１と軒樋３の止り３１との隙間部分を跨いでその先端を軒樋３の開口部上に臨ませてあるので、傾斜段差部１１ｃで方向転換された雨水は水切り部材２を伝って軒樋３内に確実に流れ落ち、前記隙間部分から軒先に雨水が滴下することを防止できる。
【００１８】
図４は本発明の他の実施形態の破風化粧板１を示しており、これは水切り部２を傾斜段差部１１ｃの端面から面一に延出する縦面部２１と、上面被覆部１１の上面から面一に延出する横面部２２とで断面略Ｌ字状に形成するとともに、傾斜段差部１１ｃの上端から堤部１１ｂと略平行に突出する庇２３を、水切り部材２とともに傾斜段差部１１ｃの端部に一体に設けたものである。
【００１９】
庇２３は上面被覆部１１の上面を伝って流れ落ちる雨水が傾斜段差部１１ｃに衝突して屋根側に方向転換する際に、雨水が傾斜段差部１１ｃを乗り越えてそのまま軒下に滴下するのを防止するためのものであり、同図に示されるように、段差部１１ａに対する傾斜段差部１１ｂの傾斜角度αを４５°〜６５°の範囲で設定するとともに、庇２３の突出長さＬを傾斜段差部１１ｂの段差Ｈより若干大きく設定してあることが好ましい。
このようにすれば、傾斜段差部１１ｂの段差Ｈをそれほど大きくしなくとも雨水の飛び跳ねを効果的に防止することができ、スマートかつコンパクトな形態に納めることができる。
また、水切り部材２の横面部２２の先端部に屋根５側に向かって斜め下方に傾斜する水切り片２２ａを設ければ、軒樋３内に落下する雨水の水切りをよくすることができる。
【００２０】
なお、図示した形態は一例であり、本発明はこれに限定されるものではない。図示した形態は水切り部材２と庇２３を上面被覆部１１に一体に設けたものであるが、水切り部材２と庇２３はそれぞれ破風化粧板１と同材質の板材を用いて別体に形成しておき、後加工で上面被覆部１１に一体に取り付けてもよい。本発明の破風化粧板は、家屋の外観デザインに応じた屋根端部の形状や大きさなどに応じて適宜な形態に構成し、取り付けることが可能である。
【符号の説明】
【００２１】
１  破風化粧板、１１  上面被覆部、１１ａ  段差部、１１ｂ  堤部、１１ｃ  傾斜段差部、１２  側面被覆部、１２１  凹溝、１３  下面被覆部、１３１  水平部、１３２  立ち上がり部、１４内側壁、１４ａ  係止部、２  水切り部材、２１  縦面部、２２  横面部、２２ａ  水切り片、２３  庇、３  軒樋、３１  止り、４  屋根端部、５  屋根、６  水切り板
【図１】
2011032746.tif 000003
【図２】
2011032746.tif 000004
【図３】
2011032746.tif 000005
【図４】
2011032746.tif 000006
【図５】
2011032746.tif 000007
【図６】
2011032746.tif 000008
【図７】
2011032746.tif 000009